(57)【要約】【課題】外装ケースの開口から露出する操作つまみの周囲を外装ケースや操作つまみとは別の部材で容易且つ低コストに装飾できる電子部品の装飾構造を提供する。【解決手段】電子部品取付用ケース６０に電子部品３０を操作する操作つまみ９０を設置し、且つ電子部品取付用ケース６０の上部にこの電子部品取付用ケース６０を覆うと共に操作つまみ９０を露出する開口１３を有する外装ケース１０を設置する。電子部品取付用ケース６０の操作つまみ９０を設置したその周囲を囲む部分に装飾リング部７１を突出して設け、且つ装飾リング部７１の上部７１１を外装ケース１０の開口１３内に露出する。【選択図】図２
2007141502.tif 000002
【特許請求の範囲】
【請求項１】
電子部品取付用ケースに設けた操作つまみ設置部に電子部品を操作する操作つまみを設置し、且つ前記電子部品取付用ケースの上部にこの電子部品取付用ケースを覆うと共に前記操作つまみを露出する開口を有する外装ケースを設置してなる電子部品の装飾構造であって、
前記電子部品取付用ケースの前記操作つまみを設置したその周囲を囲む部分に装飾リング部を突出して設け、且つ前記装飾リング部の上部を前記外装ケースの開口内に露出したことを特徴とする電子部品の装飾構造。
【請求項２】
前記電子部品取付用ケースには前記操作つまみを設置する前記操作つまみ設置部の他に、他の電子部品の操作つまみを設置する他の操作つまみ設置部が設けられ、且つ前記外装ケースには前記操作つまみを露出する開口の他に、前記他の電子部品の操作つまみを露出する開口が設けられていることを特徴とする請求項１に記載の電子部品の装飾構造。
【発明の詳細な説明】
【技術分野】
【０００１】
本発明は、外装ケースに露出して設置される操作つまみの周囲を装飾するのに好適な電子部品の装飾構造に関するものである。
【背景技術】
【０００２】
従来、携帯機器等の電子機器を組み立てるには、予め取付板上に回転式スイッチ等の各種電子部品を組み付けたものの上にこれを覆うように外装ケースを取り付け、その際、外装ケースに設けた開口から前記各種電子部品の操作つまみを露出するようにしていた。
【０００３】
一方電子機器の装飾は、外装ケースの表面と外装ケースの表面に露出する操作つまみの表面に各種色彩を塗装すること等によって行われていた。そして電子機器の装飾をさらに進めてその高級感を出す１つの方法として、操作つまみの外周を囲む部分に別途リング状に色彩を施す方法が考えられる。その場合、外装ケースの操作つまみを露出する開口の周囲表面をリング状に塗装する方法もあるが、高級感を出すためには装飾したリング状の別部材を操作つまみと開口の間に設置することがより好ましい。
【０００４】
しかしながら上述のような装飾したリング状の別部材を用いると、その組み立て工程が煩雑になるばかりか、部品点数が増加し、製造コストが高くなるという問題があった。
【発明の開示】
【発明が解決しようとする課題】
【０００５】
本発明は上述の点に鑑みてなされたものでありその目的は、外装ケースの開口から露出する操作つまみの周囲を外装ケースや操作つまみとは別の部材で容易且つ低コストに装飾できる電子部品の装飾構造を提供することにある。
【課題を解決するための手段】
【０００６】
本願請求項１に記載の発明は、電子部品取付用ケースに設けた操作つまみ設置部に電子部品を操作する操作つまみを設置し、且つ前記電子部品取付用ケースの上部にこの電子部品取付用ケースを覆うと共に前記操作つまみを露出する開口を有する外装ケースを設置してなる電子部品の装飾構造であって、前記電子部品取付用ケースの前記操作つまみを設置したその周囲を囲む部分に装飾リング部を突出して設け、且つ前記装飾リング部の上部を前記外装ケースの開口内に露出したことを特徴とする電子部品の装飾構造にある。
【０００７】
本願請求項２に記載の発明は、前記電子部品取付用ケースには前記操作つまみを設置する前記操作つまみ設置部の他に、他の電子部品の操作つまみを設置する他の操作つまみ設置部が設けられ、且つ前記外装ケースには前記操作つまみを露出する開口の他に、前記他の電子部品の操作つまみを露出する開口が設けられていることを特徴とする請求項１に記載の電子部品の装飾構造にある。
【発明の効果】
【０００８】
請求項１に記載の発明によれば、外装ケースと操作つまみの間に操作つまみの外周をリング状に装飾する別の部材からなる装飾リング部を設置でき、操作つまみの装飾が効果的になされる。同時に操作つまみを取り付ける電子部品取付用ケースと一体に装飾リング部を設けたので、別途装飾リング部用の部材を用意して組み立てる必要はなく、部品点数が増加せず、組み立ても容易で、その製造を低コストに行うことができる。
【０００９】
請求項２に記載の発明によれば、装飾リング部を設けた電子部品取付用ケースを、他の電子部品の操作つまみを設置する第２の操作つまみ設置部としても利用するので、電子部品取付用ケースの共用化が図れて低コスト化が図れ、また設置する電子部品の集積化も図れる。
【発明を実施するための最良の形態】
【００１０】
以下、本発明の実施形態を図面に基づいて詳細に説明する。
〔第１実施形態〕
図１は本発明の第１実施形態を用いて構成した電子部品の装飾構造の外観斜視図、図２は外装ケース１０と電子部品３０とを分離した分解斜視図、図３は電子部品３０の分解斜視図である。図１，図２に示すようにこの電子部品の装飾構造は、電子部品取付用ケース６０にこの電子部品３０を操作する操作つまみ９０を設置し、且つ前記電子部品取付用ケース６０の上部にこの電子部品取付用ケース６０を覆うと共に前記操作つまみ９０を露出する開口１３を有する外装ケース１０を設置して構成されている。以下各構成部品について説明する。
【００１１】
外装ケース１０は合成樹脂製であり、下面が開放された箱型に形成され、その下面側を電子部品収納部１１とし、またその略中央に上下に貫通する円形の開口１３を設け、さらにその４隅の下端部から下方向に向けてそれぞれ小突起状の取付部１５を突出して構成されている。この外装ケース１０は合成樹脂（この実施形態ではＡＢＳ樹脂を用いているが、他の各種合成樹脂でも良い）の一体成形品であり、少なくともその上面１７は装飾されている。装飾の内容としては、例えば上面１７に塗料をスプレー塗装したり、タンポ印刷等の各種印刷を施したり、場合によっては外装ケース１０を構成する合成樹脂自体を所望の色彩（透明を含む）にしてこの合成樹脂自体の色彩としたりしてもよいが、この実施形態では高級感を増すため外装ケース１０を構成する合成樹脂の上面１７にスパッタによって金属光沢のある蒸着を施している。
【００１２】
電子部品３０は押釦スイッチ付き回転式電子部品であり、図３に示すように、取付部材（以下「取付板」という）４０上に回路基板（以下「フレキシブル回路基板」という）５０と、摺動型物８０や操作つまみ（以下「回転つまみ」という）９０等を取り付けた電子部品取付用ケース６０とを設置して構成されている。取付板４０は硬質の金属板を矩形状に形成しており、その４隅の前記外装ケース１０の各取付部１５に対向する位置に各取付部１５を挿入する小孔からなる取付部４１を設け、また下記するフレキシブル回路基板５０に設けた各取付部５５に対向する位置にも小孔からなる取付部４３を設けて構成されている。フレキシブル回路基板５０は可撓性を有する矩形状の合成樹脂フイルム（例えばポリエチレンテレフタレートフイルム）の上面中央に押圧スイッチ５１を設けると共に、押圧スイッチ５１の外側に押圧スイッチ５１を中心とする円弧状の２本のトラックからなる摺接パターン５３を設け、さらにその４隅に小孔からなる取付部５５を設けて構成されている。押圧スイッチ５１はフレキシブル回路基板５０上に設けた図示しない一対のスイッチパターン上に弾性金属板をドーム形状に形成した反転板（この実施形態では可動接点板）５１１を取り付け、その際一方のスイッチパターンを反転板５１１の外周辺に当接し、他方のスイッチパターンを反転板５１１の下面中央に反転板５１１と所定距離離間して設置して構成されている。摺接パターン５３はこの実施形態ではスイッチパターンである。
【００１３】
電子部品取付用ケース６０は合成樹脂製であり、下面が開放された箱型に形成され、その略中央に回転つまみ９０等を取り付ける操作つまみ設置部６１を設け、またその４隅の下端部から下方向に向けてそれぞれ小突起状の取付部７７を突出して構成されている。この電子部品取付用ケース６０は合成樹脂（この実施形態ではＡＢＳ樹脂を用いているが、他の各種合成樹脂でも良い）の一体成形品である。各取付部７７は前記フレキシブル回路基板５０に設けた各取付部５５に対向する位置に設けられている。操作つまみ設置部６１は上方向に円形に突出することでその下面側に下記する摺動型物８０を収納する摺動型物収納部６３を設け、またその中央に下記するキートップ１１０の押圧部１１３を上下動自在に貫通する挿入孔６５を設け、挿入孔６５の周囲に弾発手段（以下「コイルバネ」という）１１０を受けるリング状の凹部からなるバネ受け部６７を設け、さらにバネ受け部６７の外側に挿入孔６５を中心とする円弧状の３つの上下に貫通する挿通孔６９を設けて構成されている。各挿通孔６９は同一のリング上に位置している。そしてこの操作つまみ設置部６１の周囲を囲む部分に上方向にリング状（筒状）に突出してなる装飾リング部７１を設けている。装飾リング部７１の外径寸法は外装ケース１０の開口１３の内径寸法より少し小さく、装飾リング部７１の内径寸法は回転つまみ９０の外径寸法よりも少し大きく形成され、その内部に回転つまみ９０が挿入できるようになっている。そしてこの電子部品取付用ケース６０を構成する合成樹脂は、装飾リング部７１の色彩を所望の色彩とするため、電子部品取付用ケース６０全体を所望の色彩としており、この実施形態では合成樹脂自体の色彩を白色としている。もちろん電子部品取付用ケース６０の表面（装飾リング部７１の部分のみでも良い）を塗装やスパッタや印刷等によって別途装飾しても良い。要は電子部品取付用ケース６０（少なくとも装飾リング部７１の上部（上端面）７１１）を所望の装飾を施した装飾付き電子部品取付用ケースとすればよい。
【００１４】
摺動型物８０は合成樹脂を略平板リング状に成形して構成されており、その所定位置に貫通する３つの係止孔８１を設けており、またその下面の所定位置には摺動子８５を取り付ける。摺動子８５は弾性金属板製であり、平板状の基部８７の外周から突出する一対の摺動冊子８９を基部８７の下面側に折り曲げて構成されている。
【００１５】
回転つまみ９０は合成樹脂を略円板状に成形して構成されており、円形の上面部９１と、上面部９１の外周から下方向に突出する円筒状の側壁部９３と、上面部９１の中央に設けた上下に貫通する円形の開口部９５と、上面部９１の裏面の開口部９５の周囲の位置から下方向に向かって突出する３本の取付部９７（図３では１本のみ示す）とを具備している。側壁部９３はその内径が前記電子部品取付用ケース６０の操作つまみ設置部６１の外径よりも少し大きく、その外径が装飾リング部７１の内径よりも少し小さい寸法に形成されている。３本の取付部９７は同一のリング上のそれぞれ前記電子部品取付用ケース６０の挿通孔６９に挿入される位置に設けられている。この回転つまみ９０は合成樹脂（この実施形態ではＡＢＳ樹脂を用いているが、他の各種合成樹脂でも良い）の一体成形品であり、少なくともその上面部９１の上面と側壁部９３の外周面とは装飾されている。装飾の内容としては、例えば塗料をスプレー塗装したり、タンポ印刷等の各種印刷を施したり、場合によっては回転つまみ９０を構成する合成樹脂自体を所望の色彩（透明を含む）にしてこの合成樹脂自体の色彩としたりしてもよいが、この実施形態では高級感を増すため外装ケース１０と同様に回転つまみ９０を構成する合成樹脂の少なくとも上面部９１の上面と側壁部９３の外周面とにスパッタによって金属光沢のある蒸着を施している。
【００１６】
キートップ１１０は合成樹脂製（この実施形態ではＡＢＳ樹脂製であるが、他の各種合成樹脂でも良い）であり、略円柱状の頭部１１１の下面中央から円柱状の押圧部１１３を突出し、また頭部１１１の外周下部から半径方向外側につば部１１５を突出して構成されている。頭部１１１は前記回転つまみ９０の開口部９５に上下動自在に挿入される外径寸法に形成され、押圧部１１３は前記電子部品取付用ケース６０の挿入孔６５に上下動自在に挿入される外径寸法に形成されている。キートップ１１０の少なくとも頭部１１１とつば部１１５の上面は装飾されており、装飾の内容としては、例えばキートップ１１０の上面に塗料をスプレー塗装したり、タンポ印刷等の各種印刷を施したり、場合によってはキートップ１１０を構成する合成樹脂自体を所望の色彩（透明を含む）にしてこの合成樹脂自体の色彩としたりしてもよいが、この実施形態では高級感を増すためキートップ１１０を構成する合成樹脂の上面にスパッタによって金属光沢のある蒸着を施している。
【００１７】
電子部品３０を組み立てるには、電子部品取付用ケース６０のバネ受け部６７にコイルバネ１１０の下端を収納し、その上にキートップ１１０と回転つまみ９０とを載置する。このときキートップ１１０の押圧部１１３はコイルバネ１１０の中央を通って電子部品取付用ケース６０の挿入孔６５に挿入され、またキートップ１１０の頭部１１１は回転つまみ９０の開口部９５に挿入され（つば部１１５は回転つまみ９０の下面に当接している）、また回転つまみ９０の各取付部９７は電子部品取付用ケース６０の各挿通孔６９に挿入される。そして電子部品取付用ケース６０下面の摺動型物収納部６３内に摺動子８５を取り付けた摺動型物８０を収納し、その際摺動型物８０の各係止孔８１に回転つまみ９０の各取付部９７の先端を挿入し、摺動型物８０の下面側に突出する取付部９７の先端を熱かしめすることで固定する。これによって回転つまみ９０と摺動型物８０は電子部品取付用ケース６０を介して一体に固定され、回転つまみ９０の各取付部９７が電子部品取付用ケース６０の各挿通孔６９内を移動する範囲において回動自在となる。そしてこの電子部品取付用ケース６０をフレキシブル回路基板５０を載置した取付板４０上に載置し、その際電子部品取付用ケース６０の各取付部７７をフレキシブル回路基板５０の各取付部５５と取付板４０の各取付部４３に挿入し、取付板４０の下面に突出する各取付部７７の先端を熱カシメによって固定する。これによって図２に示す電子部品３０が完成する。
【００１８】
次に電子部品３０の上面に外装ケース１０を被せ、その際外装ケース１０の各取付部１５を取付板４０の各取付部４１に挿入し、取付板４０の下面に突出した各取付部１５の先端を熱カシメによって固定する。このとき図１に示すように回転つまみ９０とその周囲を囲む装飾リング部７１の上部７１１は外装ケース１０の開口１３内に露出する。
【００１９】
この実施形態のように金属光沢のあるスパッタ等によって装飾した外装ケース１０と、金属光沢のあるスパッタ等によって装飾した回転つまみ９０の間に回転つまみ９０の外周をリング状に装飾する別の部材からなる装飾リング部７１を設置したので、回転つまみ９０の装飾が効果的になされる。しかもこの実施形態の場合、回転つまみ９０を取り付ける電子部品取付用ケース６０と一体に装飾リング部７１を設けたので、別途装飾リング部７１用の部材を用意して組み立てる必要はなく、従って部品点数が増加せず、組み立ても容易で、その製造を低コストに行うことができる。
【００２０】
そして図１に示す回転つまみ９０を回転すれば、これと一体に摺動型物８０及び摺動子８５が回動し、摺動冊子８９が摺接パターン５３上を摺動することでその出力が変化する。一方キートップ１１０の頭部１１１を押圧すれば、押圧部１１３が反転板５１１を押圧してこれを反転し、押圧スイッチ５１をオンする。キートップ１１０への押圧を解除すれば、反転板５１１が元の形状に自動復帰し、押圧スイッチ５１がオフする。
【００２１】
〔第２実施形態〕
図４は本発明の第２実施形態を用いて構成した電子部品の装飾構造の外観斜視図、図５は外装ケース１０−２と電子部品３０−２，１３０−２とを分離した分解斜視図、図６は電子部品３０−２，１３０−２の分解斜視図である。図４，図５に示すようにこの電子部品の装飾構造は、電子部品取付用ケース６０−２に第１実施形態と同一の電子部品（押釦スイッチ付き回転式電子部品）３０−２を操作する操作つまみ９０−２と他の電子部品（多方向揺動型電子部品）１３０−２を操作する操作つまみ１４０−２とを設置し、且つ前記電子部品取付用ケース６０−２の上部にこの電子部品取付用ケース６０−２を覆うと共に前記操作つまみ９０−２と操作つまみ１４０−２をそれぞれ露出する開口１３−２，１４−２を有する外装ケース１０−２を設置して構成されている。以下各構成部品について説明する。なおこの実施形態において第１実施形態と同一又は相当部分には同一符号を付す（但し各符号には「−２」を附す）。なお以下で説明する事項以外の事項については、前記図１〜図３に示す第１実施形態と同じである。
【００２２】
外装ケース１０−２において第１実施形態の外装ケース１０と相違する点は、開口１３−２の隣りに上下に貫通する円形の開口１４−２を設けた点である。このため外装ケース１０−２の外形は開口１３−２，１４−２が並ぶ方向に向けて長尺（横長）になっている。なお下記する電子部品取付用ケース６０−２やフレキシブル回路基板５０−２や取付板４０−２もこれに合わせて第１実施形態よりも長尺（横長）になっている。
【００２３】
電子部品１３０−２は前述のように多方向揺動型電子部品であり、図６に示すように、取付板４０−２上にフレキシブル回路基板５０−２と、操作つまみ（以下「揺動つまみ」という）１４０−２を取り付けた電子部品取付用ケース６０−２を設置して構成されている。即ち電子部品取付用ケース６０−２と取付板４０−２とフレキシブル回路基板５０−２は両電子部品３０−２，１３０−２が共用している。そしてフレキシブル回路基板５０−２の前記押圧スイッチ５１−２等を設けた部分に隣接する位置に４つの押圧スイッチ５７−２を円周上に等間隔に設けている。これら４つの押圧スイッチ５７−２も前記押圧スイッチ５１−２と同様に、フレキシブル回路基板５０−２上に設けた図示しない一対のスイッチパターン上に弾性金属板をドーム形状に形成した反転板（この実施形態では可動接点板）５７１−２を取り付け、その際一方のスイッチパターンを反転板５７１−２の外周辺に当接し、他方のスイッチパターンを反転板５７１−２の下面中央に反転板５７１−２と所定距離離間して設置して構成されている。
【００２４】
電子部品取付用ケース６０−２には回転つまみ９０−２等を取り付ける操作つまみ設置部（以下「第１の操作つまみ設置部」という）６１−２の他に、これに隣接して他の操作つまみ設置部（以下「第２の操作つまみ設置部」という）７３−２を設けている。第２の操作つまみ設置部７３−２は上下に貫通する円形の開口７５−２の周囲に上方向に突出して半径方向内側に向けて突出するリング状の覆い部７７−２を設けて構成されている。また図示はしないが電子部品取付用ケース６０−２の下面の前記開口７５−２の周囲２箇所（約１８０°反対側で下記する揺動つまみ１４０−２の取付部１４５−２に対向する位置）には小突起状の取付突部が設けられている。
【００２５】
揺動つまみ１４０−２は合成樹脂（この実施形態ではＡＢＳ樹脂を用いているが、他の各種合成樹脂でも良い）を略円板状に成形して構成されており、その外周下部からはリング状のつば部１４１−２が突出し、さらにその下面側の約１８０°反対側から半径方向外側に向けて一対のアーム部材１４３−２を突出し、各アーム部材１４３−２の先端に上下に貫通する小孔からなる取付部１４５−２を設けている。アーム部材１４３−２は揺動つまみ１４０−２とは別部品であり、一対のアーム部材１４３−２は揺動つまみ１４０−２の下面で一体に連結されている。そして揺動つまみ１４０−２の下面に図示しない可撓性を有する合成樹脂フイルム製のヒンジ部材を介して前記別部品であるアーム部材１４３−２が連結されており、これによってアーム部材１４３−２に対して揺動つまみ１４０−２が揺動自在に支持されている。揺動つまみ１４０−２の少なくともその上面と外周面は装飾されている。装飾の内容としては、例えば塗料をスプレー塗装したり、タンポ印刷等の各種印刷を施したり、場合によっては揺動つまみ１４０−２を構成する合成樹脂自体を所望の色彩（透明を含む）にしてこの合成樹脂自体の色彩としたりしてもよいが、この実施形態では高級感を増すため揺動つまみ１４０−２を構成する合成樹脂の少なくとも上面と外周面とにスパッタによって金属光沢のある蒸着を施している。
【００２６】
電子部品１３０−２を組み立てるには、電子部品取付用ケース６０−２に設けた開口７５−２にその下面側から揺動つまみ１４０−２を挿入し、そのつば部１４１−２を覆い部７７−２の下面側に位置し、同時に各取付部１４５−２に電子部品取付用ケース６０−２の下面に設けた前記図示しない取付突部を挿入してその先端を熱カシメする。これによって揺動つまみ１４０−２は電子部品取付用ケース６０−２に取り付けられ、その上面の外周近傍の各部を押圧することで押圧した方向に傾いて揺動する。そしてこの電子部品取付用ケース６０−２が前記電子部品３０−２の組み立てに合わせてフレキシブル回路基板５０−２を載置した取付板４０−２上に載置された際、揺動つまみ１４０−２の下面の外周近傍部分に設けた図示しない下方向に突出する４つの押圧部がフレキシブル回路基板５０−２上に設置した４つの押圧スイッチ５７−２上に位置する。次に取付板４０−２の下面に突出した電子部品取付用ケース６０−２の各取付部７７−２の先端を熱カシメして固定すれば、図５に示す電子部品３０−２及び電子部品１３０−２が完成する。そして前記電子部品３０−２，１３０−２の上面に外装ケース１０−２を被せて第１実施形態の場合と同様に固定すれば、第二実施形態に係る電子部品の装飾構造が完成する。
【００２７】
この実施形態の場合、回転つまみ９０−２を装飾する装飾リング部７１−２を設けた電子部品取付用ケース６０−２を、他の電子部品１３０−２の操作つまみ１４０−２を設置する第２の操作つまみ設置部７３−２としても利用するので、１つの電子部品取付用ケース６０−２に複数の電子部品の操作つまみを設置できてその共用化が図れ、低コスト化が図れ、複数の電子部品を集積して設置することが可能となる。
【００２８】
そして図４に示す揺動つまみ１４０−２の上面の外周近傍部分を押圧すれば、押圧した方向に揺動つまみ１４０−２が揺動し、下降した揺動つまみ１４０−２下面の押圧部がその真下にある何れかの押圧スイッチ５７−２を押圧して反転板５７１−２を反転しこれをオンする。前記押圧を解除すると、反転板５７１−２が元の形状に自動復帰して揺動つまみ１４０−２が元の位置に戻り、押圧スイッチ５７−２がオフする。
【００２９】
なお電子部品３０−２の回転つまみ９０−２の周囲だけでなく、電子部品１３０−２の揺動つまみ１４０−２の周囲も効果的に装飾するため、電子部品取付用ケース６０−２の揺動つまみ１４０−２を設置したその周囲を囲む部分にも前記装飾リング部７１−２と同様の装飾リング部を突設し、且つ装飾リング部の上部を外装ケース１０−２の開口１４−２内に露出しても良い。また電子部品３０−２の回転つまみ９０−２の周囲の代りに、電子部品１３０−２の揺動つまみ１４０−２の周囲に前記装飾リング部を突設し、且つ装飾リング部の上部を外装ケース１０−２の開口１４−２内に露出しても良い。また電子部品１３０−２の揺動つまみ１４０−２の中央に開口部９５−２と同様の開口部を設け、その中にキートップ１１０−２と同様のキートップを設置することで、この電子部品１３０−２を押釦スイッチ付き多方向揺動型電子部品として構成してもよい。
【００３０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では本発明を適用する電子部品として押釦スイッチ付き回転式電子部品や多方向揺動型電子部品を用いたが、キートップを操作つまみとする押釦スイッチ等、他の各種機能・構造を有する電子部品であってもよい。要は電子部品取付用ケースに設けた操作つまみ設置部に操作つまみを設置する構造の電子部品であればよい。また上記実施形態では装飾リング部の形状を円形のリング状に形成したが、多角形のリング状や楕円形のリング状等、リング状であればどのような形状であっても良い。また装飾リング部はリングの途中が切れていても良い。
【図面の簡単な説明】
【００３１】
【図１】電子部品の装飾構造の外観斜視図である。
【図２】外装ケース１０と電子部品３０とを分離した分解斜視図である。
【図３】電子部品３０の分解斜視図である。
【図４】他の電子部品の装飾構造の外観斜視図である。
【図５】外装ケース１０−２と電子部品３０−２，１３０−２とを分離した分解斜視図である。
【図６】電子部品３０−２，１３０−２の分解斜視図である。
【符号の説明】
【００３２】
１０  外装ケース
１３  開口
３０  電子部品
４０  取付板（取付部材）
５０  フレキシブル回路基板（回路基板）
６０  電子部品取付用ケース
６１  操作つまみ設置部
７１  装飾リング部
７１１  上部
８０  摺動型物
９０  回転つまみ（操作つまみ）
１０−２  外装ケース
１３−２，１４−２  開口
３０−２  電子部品
６０−２  電子部品取付用ケース
６１−２  第１の操作つまみ設置部
７３−２  第２の操作つまみ設置部
９０−２  操作つまみ
１３０−２  電子部品（他の電子部品）
１４０−２  操作つまみ
【図１】
2007141502.tif 000003
【図２】
2007141502.tif 000004
【図３】
2007141502.tif 000005
【図４】
2007141502.tif 000006
【図５】
2007141502.tif 000007
【図６】
2007141502.tif 000008